(57)【要約】【目的】既設の下段足場板上での搬送が容易で、取付作業が短時間で簡単に行える安全手摺を提供する。【解決手段】上下方向に継ぎ足してなる支柱２を複数並設すると共に、隣り合う支柱２，２間に足場板３を上下複数段に架け渡して組み立てる単管足場４の組立にあたり、既設の下段側足場板３から、新設した上段側足場板３の仮設手摺として取り付ける安全手摺１であって、足場板３の長手方向に隣り合う支柱２，２に添うように取り付けられる両側一対の竪杆５，５と、両端部が両竪杆５，５の上端部側に枢着されて、両竪杆５，５間で中折式に折り畳み自在な手摺本体６とからなり、各竪杆５は、その下端部側を支柱２に着脱自在に取り付けるようになっている。【選択図】        図６
2004324210.tif 000002
【特許請求の範囲】
【請求項１】
上下方向に継ぎ足してなる支柱を複数並設すると共に、隣り合う支柱間に足場板を上下複数段に架け渡して組み立てる単管足場の組立にあたり、既設の下段側足場板から、新設した上段側足場板の先行仮設手摺として取り付ける安全手摺であって、
足場板長手方向に隣り合う支柱に添うように取り付けられる両側一対の竪杆と、両端部が両竪杆の上端部側に枢着されて、両竪杆間で中折式に折り畳み自在な手摺本体とからなり、
各竪杆は、その下端部側を支柱に着脱自在に取り付けるようになっている安全手摺。
【請求項２】
手摺本体は、上段側一対の横材の一端部同士と中縦材の上端部とを枢支連結し、下段側一対の横材の一端部同士と中縦材の下端部とを枢支連結すると共に、各横材の他端部を竪杆に夫々枢着することによって形成される請求項１に記載の安全手摺。
【請求項３】
各竪杆の下端部側には上方部位に取付金具を、下方部位に支持金具を夫々設け、取付金具は、単管足場の支柱に設けられたフランジ部材の係合孔に上方から挿入される下向きの楔片を有し、支持金具は、支柱の外周面に係合可能な凹面状の係合部材を有する請求項１又は２に記載の安全手摺。
【発明の詳細な説明】
【０００１】
【発明の属する技術分野】
本発明は、建設作業現場において、上下方向に継ぎ足してなる支柱を複数並設すると共に、隣り合う支柱間に足場板を上下複数段に架け渡して組み立てる単管足場の組立にあたり、既設の下段側足場板から、新設した上段側足場板の先行仮設手摺りとして取り付ける安全手摺に関するものである。
【０００２】
【従来の技術】
従来の安全手摺は、公知文献を具体的に上げることは出来ないが、両側一対の竪杆と上下の横杆とで形成される周枠に複数の中桟を配設して矩形枠体状に構成したもので、この矩形枠体状手摺を、既設の下段側足場板から、新設した上段側足場板に持ち上げることによって、隣り合う両支柱に取り付けるようになっている。
【０００３】
【発明が解決しようとする課題】
上記のような安全手摺では、矩形枠体状であるため作業員が持ち難く、既設の下段足場板上での搬送が面倒であり、また矩形枠体状であるため既設の下段足場板上で作業員が万歳をするような恰好で安全手摺を持ち上げて、新設した上段側足場板での取付作業を行わねばならず、従って安全手摺の取付作業が非常に面倒で、非常な時間と手間がかかっていた。
【０００４】
本発明は、既設の下段足場板上での搬送が容易で、取付作業が短時間で簡単に行える安全手摺を提供することを目的とする。
【０００５】
【課題を解決するための手段】
請求項１に係る発明の安全手摺は、上下方向に継ぎ足してなる支柱２を複数並設すると共に、隣り合う支柱２，２間に足場板３を上下複数段に架け渡して組み立てる単管足場４の組立にあたり、既設の下段側足場板３から、新設した上段側足場板３の仮設手摺として取り付ける安全手摺１であって、足場板３長手方向に隣り合う支柱２，２に添うように取り付けられる両側一対の竪杆５，５と、両端部が両竪杆５，５の上端部側に枢着されて、両竪杆５，５間で中折式に折り畳み自在な手摺本体６とからなり、各竪杆５は、その下端部側を支柱２に着脱自在に取り付けるようになっていることを特徴とする。
【０００６】
請求項２は、請求項１に記載の安全手摺において、手摺本体６は、上段側一対の横材１０，１０の一端部同士と中縦材１１の上端部とを枢支連結し、下段側一対の横材１０，１０の一端部同士と中縦材１１の下端部とを枢支連結すると共に、各横材１０の他端部を竪杆５に夫々枢着することによって形成されることを特徴とする。
【０００７】
請求項３は、請求項１又は２に記載の安全手摺において、各竪杆５の下端部側には上方部位に取付金具１７を、下方部位に支持金具１８を夫々設け、取付金具１７は、単管足場４の竪杆５に設けられたフランジ部材７の係合孔８に上方から挿入される下向きの楔片１７ｂを有し、支持金具１８は、支柱２の外周面に係合可能な凹面状の係合部材１８ｂを有することを特徴とする。
【０００８】
【発明の実施の形態】
図１は本発明に係る安全手摺１を示す正面図、図２は同安全手摺１の平面図、図３は同安全手摺１の折り畳み状態を示す正面図、図４は同折り畳み状態の平面図、図５の（ａ）は同安全手摺の竪杆に設けてある取付金具及び支持金具を示す斜視図、（ｂ）はその側面図である。図６の▲１▼〜▲３▼は安全手摺の取付方法を説明する説明図である。この安全手摺１は、図１の仮想線で示すように、上下方向に継ぎ足してなる支柱２を複数並設すると共に、縦方向（足場板３の長手方向）に隣り合う支柱２，２間に足場板３を上下複数段に架け渡して組み立てる単管足場４の組立にあたり、図６のように既設の下段側足場板３（実線図示）から、新設した上段側足場板３（仮想線図示）の先行仮設手摺りとして取り付けるようにしたもので、隣り合う支柱２，２に添うように取り付けられる両側一対の竪杆５，５と、両端部が両竪杆５，５の上端部側に枢着されて、中折式に折り畳み自在な手摺本体６とからなり、各竪杆５は、その下端部側を竪杆５に着脱自在に取り付けるようになっている。
【０００９】
各支柱２にはその長手方向所要間隔おきにフランジ部材７が固着されていて、各フランジ部材７には係合孔８が９０度間隔で４つ開口形成されている。足場板３の両端部は、単管足場４の横方向に隣り合う支柱２，２のフランジ部材７，７に連結された横ステー９，９にフック２３で掛止される。
【００１０】
安全手摺１の手摺本体６は、図１から分かるように、上段側一対の横材１０，１０の一端部同士と中縦材１１の上端部とをボルト・ナット１２で枢支連結し、下段側一対の横材１３，１３の一端部同士と中縦材１１の下端部とをボルト・ナット１４で枢支連結すると共に、上下両段の各横材１０，１３の他端部を夫々ボルト・ナット１５，１６で竪杆５に枢着することによって、図３及び図６の▲１▼〜▲３▼に示すように両竪杆５，５間で中折式に折り畳み可能に構成されている。
【００１１】
各竪杆５の下端部側には上方部位に取付金具１７が設けられ、その下方部位に支持金具１８が設けられている。図５の（ａ）及び（ｂ）から分かるように、取付金具１７は、竪杆５に突設された取付片１７ａと、この取付片１７ａ先端側下部に下向きに突設され、支柱２に設けられたフランジ部材７の係合孔８に上方から挿入される楔片１７ｂと、取付片１７ａ先端部に取り付けられて、単管足場４の支柱２の外周面に係合可能な凹面状係合片１７ｃと、から構成される。また、支持金具１８は、竪杆５に突設された取付片１８ａと、この取付片１８ａの先端部に取り付けられて、支柱２の外周面に係合可能な凹面状係合片１８ｂと、から構成される。
【００１２】
図１、図３及び図５において、１９は手摺材（上桟）、２０は手摺材（中桟）で、各手摺材１９，２０の両端部にはコ字枠片２１が取り付けてあって、支柱２に設けられたフランジ部材７の係合孔８に係合する楔２２によって支柱２に取り付けられるようになっている。また、図１及び図３において、２４は安全手摺１の各竪杆５の上端部に突設された楔取外し用の金具で、安全手摺１の取外しにあたって、フランジ部材７の係合孔８に係合した楔２２を取り外す時に、この金具２４の下端部をハンマー等で上向きに叩くことによって、楔２２をフランジ部材７の係合孔８から抜き出すようにする。
【００１３】
次に、上記のような構成よりなる安全手摺１の使用方法について、図６を中心に他の図面を参照しながら説明する。図６において、実線で示される足場板３は単管足場４における既設の下段側足場板であり、仮想線で示される足場板３は新設の上段側足場板である。安全手摺１は、既設の下段側足場板３から、新設した上段側足場板３の先行仮設手摺りとして取り付けるものである。
【００１４】
取付けにあたっては、両側一対の竪杆５，５と両竪杆５，５間に中折式に折り畳み自在な手摺本体６とからなる安全手摺１を、両竪杆５，５と手摺本体６とが略々１本の棒状体となるように折り畳んだ状態（図３及び図６の▲１▼参照）にしておく。しかして、折り畳んだ安全手摺１を、作業員Ｍが図６の▲１▼に示すように単管足場４における既設の下段側足場板３（実線図示）上で持ち歩いて、その一方の竪杆５の下端部側を、足場板３の長手方向に対向する両支柱２，２の一方に取り付ける。
【００１５】
この一方の竪杆５の取付けにあたっては、折り畳んだ安全手摺１の下端部が図示のように上段側足場板３（仮想線図示）の下方に位置する状態から、当該一方の竪杆５の取付金具１７の楔片１７ｂを、支柱２上端部のフランジ部材７の係合孔８に係着すると共に、凹面状係合片１７ｃを支柱２の外周面に係合させ、またその下方にある支持金具１８の凹面状係合片１８ｂを支柱２の外周面に係合させる。
【００１６】
こうして安全手摺１の一方の竪杆５を一方の支柱２に取り付けたならば、作業員Ｍが図６の▲２▼に示すように他方の竪杆５の下端部を持って、他方の支柱２側へ移動しながら手摺本体６を展開し、同図の▲３▼に示すように他方の竪杆５の下端部側を他方の支柱２に取り付ける。即ち、当該他方の竪杆５の取付金具１７の楔片１７ｂを、支柱２上端部のフランジ部材７の係合孔８に係着すると共に、凹面状係合片１７ｃを支柱２外周面に係合させ、その下方にある支持金具１８の凹面状係合片１８ｂを支柱２の外周面に係合させればよく、これによって安全手摺１の取付けを終える。
【００１７】
図６の▲３▼に示す状態に安全手摺１を取り付けた後、支柱２を継ぎ足すと共に、横方向（足場板３の長手方向と直交する方向）に隣り合う支柱２同士を横ステー９で連結して図１及び図２の仮想線で示すような状態とする。そして図１の仮想線で示すように、縦方向（足場板３の長手方向）に隣合う支柱２，２間に手摺材（上桟）１９を設置し、これら両支柱２，２上端部間に新たに足場板３を架け渡す。この新たな足場板３が新設の足場板３であり、それまでの上段側足場板３が既設の下段側足場板３となる。この後、安全手摺１を支柱２，２から取り外し、この取り外した支柱２，２の下端部間に手摺材（下桟）２０を設置する。
【００１８】
その後は、上記既設の下段側足場板３から、上記取り外した安全手摺１を上記新設した上段側足場板３の先行仮設手摺りとして、上述した図６の▲１▼〜▲３▼に示すような要領で取り付ける。そして、上記のような安全手摺１の取付作業を順次繰り返すことによって、足場組立時の足場３における安全手摺１の取付作業が行われることになる。
【００１９】
以上説明したような本発明の安全手摺１は、足場板３の長手方向に隣り合う支柱２，２に添うように取り付けられる両側一対の竪杆５，５と、両端部が両竪杆５，５の上端部側に枢着されて、両竪杆５，５間で中折式に折り畳み自在な手摺本体６とからなるものであって、折り畳めば、略々１本の棒状体となり、展開すれば、略々門形の安定した手摺使用形態となるから、持ち運びが簡単であると共に、取付作業が非常に容易となる。その取付作業においては、上記したように、折り畳んだ安全手摺１の一方の竪杆５の下端部側を両支柱２，２の一方に取り付けた後、他方の竪杆５の下端部を持って、そのまま他方の支柱２側へ移動しながら手摺本体６を展開して、他方の竪杆５下端部を他方の支柱２に取り付ければよいから、その取付作業を迅速容易に行なうことができる。
【００２０】
また、この実施形態のように、手摺本体６は、上段側一対の横材１０，１０の一端部同士と中縦材１１の上端部とを枢支連結し、下段側一対の横材１０，１０の一端部同士と中縦材１１の下端部とを枢支連結すると共に、各横材１０の他端部を竪杆５に夫々枢着することによって形成されるから、部品点数が少ないにもかかわらず、コンパクトに折り畳むことができると共に、安定な手摺使用形態に迅速容易に展開させることができ、しかも構造的に堅固で、先行仮設手摺として極めて有効な安全手摺となる。
【００２１】
また、この実施形態のように、各竪杆５の下端部側に設けられる取付金具１７は、単管足場４の支柱２に設けられたフランジ部材７の係合孔８に上方から挿入される下向きの楔片１７ｂを有するから、支柱２への竪杆５の取付けを迅速容易に行なうことができる。また、この取付金具１７の下方に設けられる支持金具１８が、支柱２の外周面に係合可能な凹面状の係合部材１８ｂを有するから、竪杆５を支柱２に対し安定良く取り付けることができる。
【００２２】
【発明の効果】
請求項１に係る発明の安全手摺は、支柱に添うように取り付けられる両側一対の竪杆と、両端部が両竪杆の上端部側に枢着されて、両竪杆間で中折式に折り畳み自在な手摺本体と、からなるもので、折り畳めば、略々１本の棒状体となり、展開すれば、略々門形の安定した手摺使用形態となるから、持ち運びが容易で、特に既設の下段足場板上での搬送が容易となり、また取付作業を短時間で簡単に行うことができる。
【００２３】
請求項２に係る発明の安全手摺は、手摺本体が、上段側一対の横材の一端部同士中縦材１１の上端部とを枢支連結し、下段側一対の横材の一端部同士と中縦材の下端部とを枢支連結すると共に、各横材の他端部を竪杆に夫々枢着して形成されるから、部品点数が少ないにもかかわらず、コンパクトに折り畳むことができると共に、安定な手摺使用形態に迅速容易に展開させることができ、しかも構造的に堅固で、先行仮設手摺として極めて有効な安全手摺となる。
【００２４】
請求項３に係る発明の安全手摺は、各竪杆の取付金具は、単管足場の支柱に設けられたフランジ部材の係合孔に上方から挿入される下向き楔片を有するから、支柱への竪杆の取付けを迅速容易に行なうことができ、また取付金具の下方に設けられる支持金具は、支柱の外周面に係合可能な凹面状係合部材を有するから、竪杆を支柱に対し安定良く取り付けることができる。
【図面の簡単な説明】
【図１】本発明に係る安全手摺を示す正面図である。
【図２】同安全手摺の平面図である。
【図３】同安全手摺の折り畳み状態を示す正面図である。
【図４】同折り畳み状態の平面図である。
【図５】（ａ）は同安全手摺の竪杆に設けてある取付金具及び支持金具を示す斜視図、（ｂ）はその側面図である。
【図６】▲１▼〜▲３▼は同安全手摺の取付方法を説明する説明図である。
【符号の説明】
１                安全手摺
２                支柱
３                足場板
４                単管足場
５                安全手摺の竪杆
６                安全手摺の手摺本体
１０              手摺本体の横材
１１              手摺本体の中縦材
１７              取付金具
１７ｂ            楔片
１８              支持金具
１８ｂ            係合部材
【図１】
2004324210.tif 000003
【図２】
2004324210.tif 000004
【図３】
2004324210.tif 000005
【図４】
2004324210.tif 000006
【図５】
2004324210.tif 000007
【図６】
2004324210.tif 000008